(57)【要約】【課題】  着用することにより飛距離が出る効果を奏するゴルフ用手袋を提供する。【解決手段】錘Ｃを装着可能としたゴルフ用手袋において、指袋箇所に弾性を有するパッドＰを突設し、手袋の甲箇所に設けられる手首締めつけ用の開閉バンド１の裏面と、上記開閉バンドを閉じたときに止着される手袋表面箇所に、内部の空隙に向かって錘を挿入可能なスリット３、６をそれぞれ設けることにより錘を装着する手段とする。【選択図】      図２
0003179648.tif 000002
【実用新案登録請求の範囲】
【請求項１】
錘を装着可能としたゴルフ用手袋において、指袋箇所に弾性を有するパッドを突設したことを特徴とするゴルフ用手袋。
【請求項２】
パッドは小指袋、薬指袋、中指袋、人指し指袋の付け根箇所に突設される請求項１記載のゴルフ用手袋。
【請求項３】
手袋の甲箇所に設けられる手首締めつけ用の開閉バンドの裏面と、上記開閉バンドを閉じたときに止着される手袋表面箇所に、内部の空隙に向かって錘を挿入可能なスリットをそれぞれ設けることにより錘を装着する手段とした請求項１または２記載のゴルフ用手袋。
【請求項４】
前記手首締めつけ用の開閉バンドの裏面に設けられる面ファスナー部材と開閉バンドの裏面との間に非縫着箇所を設けることにより、面ファスナー部材に開口されたスリットから挿入される錘を収容すべき空隙とするとともに、上記開閉バンドを閉じたときに止着される手袋表面箇所に設けられる面ファスナー部材と手袋表面箇所との間に非縫着箇所を設けることにより、面ファスナー部材に開口されたスリットから挿入される錘を収容すべき空隙とした請求項３に記載のゴルフ用手袋。
【請求項５】
前記のスリットおよび空隙は硬貨を挿入可能な大きさを有する請求項３または４記載のゴルフ用手袋。
【考案の詳細な説明】
【技術分野】
【０００１】
この考案は、ゴルフクラブを握る時に使用するゴルフ用手袋に関し、より詳細には着用することにより飛距離が出る効果を奏するゴルフ用手袋に関する。
【背景技術】
【０００２】
ゴルフにおいて飛距離を伸ばすにはゴルフクラブのヘッドスピードを向上させるとともに、スイングの安定性を確保することが重要である。
【０００３】
前記の目的を達成するために様々な手段が提案されているが、そのうちの一つとしてゴルフ用手袋に錘を装着することが提案されている（例えば、特許文献１、２）。この手段によれば、錘を手袋に装着することにより、スイングする際に手袋を装着した手に大きな慣性力を与え、ヘッドスピードを向上させるとともに、スイングの安定性をもたらす効果を奏することとなる。
【先行技術文献】
【特許文献】
【０００４】
【特許文献１】特開平２−１０４０８６号公報
【特許文献２】特開平６−１３４０７２号公報
【考案の概要】
【考案が解決しようとする課題】
【０００５】
ところで、クラブのグリップを握るに際し、力を入れ過ぎると指や手の平の筋肉が硬直し、それが手首、腕、肩に伝わりスイングがぎこちなくなり、ボールの飛距離を損なうことが知られている。ところが、前記のように手袋に錘を装着した場合、手元が重くなることからゴルファーの心理として不用意に指先に力が入ってしまい、クラブを握る力が強過ぎてしまいがちであった。よって、前記の手段は常に正確にグリップを握ることができるベテランのゴルファーには有効であっても、そうでないゴルファーにとっては却って飛距離を損なわせてしまうおそれがあった。
【課題を解決するための手段】
【０００６】
この考案は、以上の従来技術の問題点を解消したゴルフ用手袋を提供することを目的として創作されたものであり、錘を装着可能としたゴルフ用手袋において、指袋箇所に弾性を有するパッドを突設したことを特徴とする。
【０００７】
また、ここでは第２考案として、前記の第１考案のゴルフ用手袋において、手袋の甲箇所に設けられる手首締めつけ用の開閉バンドの裏面と、上記開閉バンドを閉じたときに止着される手袋表面箇所に、内部の空隙に向かって錘を挿入可能なスリットをそれぞれ設けることにより錘を装着する手段としたゴルフ用手袋も開示する。
【０００８】
また、ここでは第３考案として、前記の第２考案のゴルフ用手袋において、手首締めつけ用の開閉バンドの裏面に設けられる面ファスナー部材と開閉バンドの裏面との間に非縫着箇所を設けることにより、面ファスナー部材に開口されたスリットから挿入される錘を収容すべき空隙とするとともに、上記開閉バンドを閉じたときに止着される手袋表面箇所に設けられる面ファスナー部材と手袋表面箇所との間に非縫着箇所を設けることにより、面ファスナー部材に開口されたスリットから挿入される錘を収容すべき空隙としたゴルフ用手袋も開示する。
【０００９】
また、ここでは第４考案として、前記の第２考案、第３考案のゴルフ用手袋において、スリットおよび空隙は硬貨を挿入可能な大きさを有するゴルフ用手袋も開示する。
【考案の効果】
【００１０】
以上の構成よりなるこの考案のゴルフ用手袋によれば、指袋箇所に弾性を有するパッドを突設しているので、パッドが緩衝材となり仮にグリップを握る際に指先に力が入っても、それが和らげられるので指や手の平の筋肉が硬直することが防止される。また、パッドが押圧により変形することにより、均等にグリップを握ることが可能となる。
【００１１】
＋
よって、手袋に錘を装着した場合でも前記の弊害を生じることがなく、スイングする際に手袋を装着した手に大きな慣性力が与えられ、ヘッドスピードが向上するとともに、スイングの安定性がもたらされ、グリップが均等に握られる前記の効果も相まって、飛距離が出る効果を奏することとなる。
【００１２】
また、第２考案によれば、手袋の甲箇所に設けられる手首締めつけ用の開閉バンドの裏面と、上記開閉バンドを閉じたときに止着される手袋表面箇所に、内部の空隙に向かって錘を挿入可能なスリットをそれぞれ設けてあり、この場合、錘となる錘は２箇所に挿入できるので、錘の組み合わせを変えることにより最適な錘の重量を自身で調整することが可能となる。
【００１３】
また、第３考案によれば、手首締めつけ用の開閉バンドの裏面に設けられる面ファスナー部材と開閉バンドの裏面との間の空隙と、開閉バンドを閉じたときに止着される手袋表面箇所に設けられる面ファスナー部材と手袋表面箇所との間の空隙を利用して錘を挿入する空間としているので、開閉バンド側の面ファスナー部材と、手袋表面側の面ファスナー部材を係止した際に錘は強固に固定されることとなり、スイング時に錘が遊動して悪影響を及ぼすことが防止される。
【００１４】
また、第４考案によれば、スリットおよび空隙は硬貨を挿入可能な大きさとしているので、手近の硬貨を利用して錘とすることができる。この場合、硬貨の重さは常に一定なので、一度、適切な重さとなるように挿入する硬貨の種類と硬貨を決定すれば、次回からは同種類の硬貨を利用して前回の状態を容易に再現することができる。
【図面の簡単な説明】
【００１５】
【図１】この考案のゴルフ用手袋の背面図。
【図２】この考案のゴルフ用手袋の背面図。
【図３】この考案のゴルフ用手袋の指袋箇所の正面図。
【図４】図３のａ−ａ’線断面図
【図５】図３のｂ−ｂ’線断面図
【図６】図３のｃ−ｃ’線断面図
【図７】図３のｄ−ｄ’線断面図
【図８】図３のｅ−ｅ’線断面図
【図９】図３のｆ−ｆ’線断面図
【図１０】図５のｇ−ｇ’線断面図
【考案を実施するための形態】
【００１６】
以下、この考案のゴルフ用手袋の具体的実施例を添付図面に基づいて説明する。図中符号Ｇは手袋であり、手の平を覆う手袋本体部より５本の指袋部を延設した公知の構成よりなる。この手袋Ｇは甲箇所に手首側の開口箇所から指部方向に向かって切り込み４を入れることにより手首部分が大きく開くように構成され、切り込みの一方に切り込みを閉じた状態で固定するための手首締めつけ用の開閉バンド１が延設される。
【００１７】
前記の開閉バンド１は閉じたときに手袋の甲部分表面に止着されるものであり、そのために開閉バンドの裏面と、開閉バンドを閉じたときに、それが止着される甲部分表面箇所にそれぞれ雌雄の面ファスナー部材２、５が重合固定される。この発明においては開閉バンド１の裏面に設けられる面ファスナー部材２と開閉バンドの裏面との間に非縫着箇所を、手袋甲部分表面箇所に設けられる面ファスナー部材５と手袋表面箇所との間に非縫着箇所を設けることにより内部に空隙を構成している。そして、前記の面ファスナー部材２と５の前記の空隙に対応する箇所に内部の空隙に向かって錘Ｃを挿入可能なスリット３、６をそれぞれ設けることにより錘を装着する手段としている。
【００１８】
前記の錘Ｃとしては円盤状のものが最適であり、ここでは硬貨をもって錘とすることができるように前記のスリット３、６および空隙は硬貨を挿入可能な大きさに設定している。この発明の手袋を使用するゴルファーはスリットから錘を内部の空隙に挿入することにより錘とするが、錘の組み合わせを変えることにより最適な錘の重量を自身で調整することが可能となる。例えば錘として硬貨を使用することを想定した場合、５００円硬貨は一枚で約７グラム、１００円硬貨は一枚で約５グラムの錘とすることができる。
【００１９】
図中符号Ｐは指袋箇所に突設されるパッドである。このパッドＰは弾性を有することが必要であり、外皮Ｐ１内にシリコンパッドを内装した構成よりなる（図１０参照）。この実施例においては、パッドＰは小指袋Ｆ４、薬指袋Ｆ３、中指袋Ｆ２、人指し指袋Ｆ１の付け根箇所に隣接するパッド同士が向かい合うように設けられる。
【符号の説明】
【００２０】
Ｇ              手袋
Ｃ              錘
Ｐ              パッド
１              開閉バンド
６              スリット
【図１】
0003179648.tif 000003
【図２】
0003179648.tif 000004
【図３】
0003179648.tif 000005
【図４】
0003179648.tif 000006
【図５】
0003179648.tif 000007
【図６】
0003179648.tif 000008
【図７】
0003179648.tif 000009
【図８】
0003179648.tif 000010
【図９】
0003179648.tif 000011
【図１０】
0003179648.tif 000012